(57)【要約】【課題】電線を配索する留め具を不要にでき、さらに、灯具を容易に回動（首振り）させることができる照明器具を提供する。【解決手段】照明器具１０は、ヒートシンク２１の前方に前面枠２６が設けられ、前面枠およびヒートシンク間にＬＥＤ光源１８が設けられることによりＬＥＤ光源の前面が前面枠で覆われている。照明器具１０は、ヒートシンクの下部２４に設けられてＬＥＤ光源の電線３１を配索可能な第１電線通路３８と、前面枠からヒートシンクに向けて張り出されることにより第１電線通路を覆う立壁４５と、第１電線通路に配索された電線をヒートシンクのフィン２３内を経て外部に配索可能な第２電線通路４１とを備えている。【選択図】図７
2012099257.tif 000002
【特許請求の範囲】
【請求項１】
ヒートシンクの前方に前面枠が設けられ、前記前面枠および前記ヒートシンク間にＬＥＤ光源が設けられることにより前記ＬＥＤ光源の前面が前記前面枠で覆われた照明器具において、
前記ヒートシンクの下部に設けられて前記ＬＥＤ光源の電線を配索可能な第１電線通路と、
前記前面枠から前記ヒートシンクに向けて張り出されることにより前記第１電線通路を覆う立壁と、
前記第１電線通路に配索された前記電線を前記ヒートシンクの（中央部の）フィン内を経て外部に配索可能な第２電線通路と、を備えた照明器具。
【発明の詳細な説明】
【技術分野】
【０００１】
本発明は、ＬＥＤを光源として天井面に埋設されて設置され、一例としてダウンライトに適用される照明器具に関する。
【背景技術】
【０００２】
従来より、ＬＥＤ光源が実装された基板（ＬＥＤ実装基板）にレンズが取り付けられ、ＬＥＤ光源から投光された光をレンズで配光して照射する照明器具が知られている（例えば、特許文献１参照）。
【先行技術文献】
【特許文献】
【０００３】
【特許文献１】特開２０１０−４９８３０号公報（図９、段落００２２）
【発明の概要】
【発明が解決しようとする課題】
【０００４】
ここで、照明器具は、通常、放熱用のヒートシンクおよび前面枠間にＬＥＤ光源が設けられている。ＬＥＤ光源に電線（コード、リード線）が接続され、接続された電線が複数の留め具を用いて照明器具の外面に沿わせて電源まで配索される。
このように、ＬＥＤ光源から電源まで電線を配索させる複数の留め具を必要とするため、部品点数を減らす妨げになっていた。
さらに、照明器具の灯具を回動（首振り）させた際に、照明器具の外面に沿わせて配索した電線が灯具の回動を妨げることが考えられる。
【０００５】
本発明は、前述した課題を解決するためになされたものであり、その目的は、電線を配索する留め具を不要にでき、さらに、灯具を容易に回動させることができる照明器具を提供することにある。
【課題を解決するための手段】
【０００６】
本発明の照明器具は、ヒートシンクの前方に前面枠が設けられ、前記前面枠および前記ヒートシンク間にＬＥＤ光源が設けられることにより前記ＬＥＤ光源の前面が前記前面枠で覆われた照明器具において、前記ヒートシンクの下部に設けられて前記ＬＥＤ光源の電線を配索可能な第１電線通路と、前記前面枠から前記ヒートシンクに向けて張り出されることにより前記第１電線通路を覆う立壁と、前記第１電線通路に配索された前記電線を前記ヒートシンクの（中央部の）フィン内を経て外部に配索可能な第２電線通路と、を備えた。
【発明の効果】
【０００７】
本発明の照明器具によれば、ヒートシンクの下部に第１電線通路を設け、ヒートシンクの（中央部の）フィン内に第２電線通路を設けた。
そして、第１電線通路にＬＥＤ光源の電線（コード、リード線）を配索し、第１電線通路に配索された電線を第２電線通路を経て外部に配索させるようにした。
【０００８】
よって、ＬＥＤ光源の電線を複数の留め具を用いて配索する必要がない。これによりＬＥＤ光源の電線を配索する複数の留め具を不要にできるので、照明器具の部品点数を減らすことができる。
さらに、前面枠に設けた立壁で第１電線通路を覆うことにより、第１電線通路に配索した電線を立壁で保護できる。
【０００９】
本発明の照明器具は、ヒートシンクの下部に第１電線通路を設けるとともに、ヒートシンクの（中央部の）フィン内に第２電線通路を設けて、第１、第２の電線通路にＬＥＤ光源の電線を配索させるようにした。
よって、ＬＥＤ光源の電線を灯具内に配索できるので、灯具を枠体に対して回動させて、灯具の向きを調整する際にＬＥＤ光源の電線が灯具の回動を妨げないようにできる。
これにより、灯具を枠体に対して容易に回動させることが可能になり、灯具の向きを手間をかけないで調整できる。
【図面の簡単な説明】
【００１０】
【図１】本発明に係る照明器具を示す斜視図
【図２】図１の照明器具を示す分解斜視図
【図３】図２のＡ部拡大図
【図４】図６のＢ−Ｂ線断面図
【図５】図１の照明器具を示す正面図
【図６】図５のＣ部拡大図
【図７】図６の照明器具を示す正面上側から見た斜視図
【図８】図７のＤ部拡大図
【発明を実施するための形態】
【００１１】
以下、本発明の実施形態に係る照明器具について図面を参照して説明する。
【００１２】
図１に示すように、本発明の実施形態である照明器具１０は、枠体１１と、枠体１１内に首振り可能に設けられた灯具１５とを備えている。
この照明器具１０は、一例として、枠体１１が天井面等の取付孔に埋設されてダウンライトに適用される照明器具である。
【００１３】
枠体１１は、略環状に形成された環状部（筒部）１２と、環状部１２に設けられた複数の取付ばね１３とを備えている。
環状部１２のフランジ１２Ａは、環状部１２が取付孔内に挿入された状態で天井面の下面に当接することにより枠体１１（すなわち、照明器具１０）を天井面に位置決めする部位である。
【００１４】
取付ばね１３は、環状部１２を天井面の取付孔に下方から挿入させる際に環状部１２に沿うように弾性変形され、環状部１２が取付孔に挿入されてフランジ１２Ａが天井面の下面に当接した後に、それぞれの外径を大きくするように弾性復元されて環状部１２を取付孔に保持する部材である。
この枠体１１内に灯具１５が首振り可能に支持されている。
【００１５】
図２に示すように、灯具１５は、ＬＥＤ実装基板１７の表面に複数のＬＥＤ光源１８が実装された灯具本体１６と、灯具本体１６の上方（後方）に設けられた放熱用のヒートシンク２１と、灯具本体１６の下方（前方）に設けられた前面枠２６とを備えている。
すなわち、前面枠２６、ヒートシンク２１および複数のＬＥＤ光源１８が灯具１５として一体にまとめられている。
【００１６】
灯具本体１６は、ＬＥＤ実装基板１７に複数のＬＥＤ光源１８が実装され、ヒートシンク２１および前面枠２６間に設けられている。
ＬＥＤ実装基板１７の裏面１７Ａがヒートシンク２１の下面に対向し、複数のＬＥＤ光源１８が前面枠２６で覆われている。
ＬＥＤ実装基板１７から一対の電線（コード、リード線）３１が引き出されている。一対の電線３１は、複数のＬＥＤ光源１８に接続されている。
【００１７】
図２、図３に示すように、ヒートシンク２１は、ＬＥＤ実装基板１７の裏面１７Ａに対向するヒートシンク本体２２と、ヒートシンク本体２２に一体に成形された複数のフィン２３とを有する。
ヒートシンク本体２２は、ＬＥＤ実装基板１７の裏面１７Ａに略円盤状の下部２４が対向し、下部２４の外周２４Ａに一対の凹部３２が形成されるとともに、一対の凹部３２間に取付孔（取付凹部）３３が形成されている。
取付孔３３は、ヒートシンク本体２２の下部２４を前面枠２６の上端部２６Ａにボルト３４（図７参照）で取り付けるための孔である。
【００１８】
一対の凹部３２は、ＬＥＤ実装基板１７の裏面１７Ａから引き出された一対の電線３１が係合可能な係合凹部である。
一対の凹部３２間に複数のフィン２３が設けられている。
一対の凹部３２間の複数のフィン２３は、それぞれの下側部位２３Ａに凹み部３６が形成されることにより、それぞれの凹み部３６およびヒートシンク本体２２の下部２４で第１電線通路３８が形成される。
【００１９】
図４に示すように、第１電線通路３８は、ヒートシンク本体２２の下部２４に対向して高さ寸法Ｈ１に形成されるとともに、下部２４の外周２４Ａに対して奥行き寸法Ｌ１に形成されている。
図４に示す一対の凹部３２に係合された一対の電線３１が第１電線通路３８に配索される。
すなわち、ヒートシンク２１の下部２４には、ＬＥＤ光源１８の電線３１を配索可能な第１電線通路３８が設けられている。
よって、図２に示すＬＥＤ実装基板１７の裏面１７Ａから引き出された一対の電線３１が、一対の凹部３２を経て第１電線通路３８に配索される。
【００２０】
図５、図６に示すように、第１電線通路３８に対向する複数のフィン２３のうち、略中央の隣接するフィン２３間に第２電線通路４１が設けられている。第２電線通路４１に保護チューブ４２が設けられている。
第２電線通路４１の保護チューブ４２に、第１電線通路３８に配索された電線３１が保護チューブ４２内に配索される。
【００２１】
保護チューブ４２内に配索された電線３１は、ヒートシンク２１の外部に配索される。
すなわち、ヒートシンク２１のフィン２３のうち中央部のフィン２３Ｂ間に、第１電線通路３８に配索された電線３１を外部に配索可能な第２電線通路４１が設けられている。
【００２２】
第２電線通路４１は、幅寸法Ｗ１が指の入らない寸法に形成されている。
これにより、照明器具１０を取り付ける際に、第２電線通路４１に指が侵入して第２電線通路４１内の電線３１に触れないようにできる。
【００２３】
図７、図８に示すように、ヒートシンク本体２２の下部２４に第１電線通路３８を設け、ヒートシンク２１の（中央部の）フィン２３内に第２電線通路４１を設けた。
そして、第１電線通路３８に複数のＬＥＤ光源１８（図２参照）の電線３１を配索し、第１電線通路３８に配索された電線３１を第２電線通路４１を経てヒートシンク２１の外部に配索させるようにした。
よって、複数のＬＥＤ光源１８の電線３１を複数の留め具を用いて配索する必要がない。これにより複数のＬＥＤ光源１８の電線３１を配索する複数の留め具を不要にできるので、照明器具１０の部品点数を減らすことができる。
【００２４】
図４、図６に示すように、ヒートシンク２１の下方（前方）には前面枠２６が設けられている。前面枠２６は、図２に示す枠体１１内に収納され、支持軸で枠体１１内に回動自在に支持されている。
よって、灯具１５は枠体１１内に首振り可能に設けられている。
このため、灯具１５を枠体１１に対して回動させて、灯具１５の向きを調整する際に複数のＬＥＤ光源１８（図２参照）の電線３１が灯具１５の回動を妨げることが考えられる。
【００２５】
そこで、前述したように、ヒートシンク２１の下部２４に第１電線通路３８を設けるとともに、ヒートシンク２１の中央部のフィン２３Ｂ間に第２電線通路４１を設けた。
そして、第１電線通路３８および第２電線通路４１に複数のＬＥＤ光源１８（図２参照）の電線３１を配索させるようにした。
【００２６】
よって、複数のＬＥＤ光源１８の電線３１を灯具１５内に配索できるので、灯具１５を枠体１１（図２参照）に対して回動させて、灯具１５の向きを調整する際に複数のＬＥＤ光源１８の電線３１が灯具１５の回動を妨げる虞がない。
これにより、灯具１５を枠体１１に対して容易に回動させることが可能になり、灯具１５の向きを手間をかけないで調整できる。
【００２７】
図２、図６に示すように、前面枠２６は、灯具１５を覆うように環状に形成された環状体であり、上端部２６Ａがヒートシンク本体２２の下部２４に嵌合されている。
前面枠２６の上端部２６Ａのうち、第１電線通路３８に対向する部位からヒートシンク２１に向けて一対の立壁４５が張り出されている。
図７に示すように、一対の立壁４５は、ボルト３４の両側に設けられている。一対の立壁４５をボルト３４の両側に設けられることにより、ボルト３４を着脱する空間を確保できる。
【００２８】
ここで、図４に示すように、第１電線通路３８が奥行き寸法Ｌ１に形成されている。よって、前面枠２６の上端部２６Ａから立壁４５を張り出した状態において、電線３１が立壁４５の内側に配索されている。
さらに、立壁４５の上端部４５Ａが電線３１の上方に位置している。
これにより、前面枠２６の上端部２６Ａから張り出した立壁４５で第１電線通路３８（すなわち、電線３１）を覆うことができ、電線３１を立壁４５で保護できる。
【００２９】
また、図６に示すように、立壁４５は、上端部４５Ａからフィン２３の下側部位２３Ａの凹み部３６（図４も参照）までの高さ寸法Ｈ２を指が入らない寸法になるように形成されている。
これにより、照明器具１０を取り付ける際に、立壁４５の上端部４５Ａおよびフィン２３の凹み部３６間の空間から指が侵入して第１電線通路３８内の電線３１に触れないようにできる。
【００３０】
なお、本発明に係る照明器具は、前述した実施形態に限定されるものではなく適宜変更、改良等が可能である。
例えば、実施形態で使用した照明器具、ＬＥＤ光源、ヒートシンク、フィン、前面枠、電線、第１電線通路、第２電線通路および立壁等の形状や構成は例示したものに限定するものではなく適宜変更が可能である。
【符号の説明】
【００３１】
１０  照明器具
１８  ＬＥＤ光源
２１  ヒートシンク
２３  フィン
２４  ヒートシンクの下部
２６  前面枠
３１  電線
３８  第１電線通路
４１  第２電線通路
４５  立壁
【図１】
2012099257.tif 000003
【図２】
2012099257.tif 000004
【図３】
2012099257.tif 000005
【図４】
2012099257.tif 000006
【図５】
2012099257.tif 000007
【図６】
2012099257.tif 000008
【図７】
2012099257.tif 000009
【図８】
2012099257.tif 000010